(57)【特許請求の範囲】
【請求項１】
本体の正面両側で開閉自在となるようにハの字型に取り付けられた握持固定レバーと、前記本体にガイドされながら本体に設けた操作レバーの回動により上下動する移動部材と、前記握持固定レバーの相向かい合う基部の間の上方に位置する前記移動部材の支持部で上端を回転自在に支持され、先端が下向きのスクリューと、該スクリューの内部通過に伴い該スクリューに回転を付与し自らも本体に対して上下動可能な回転誘導部材と、該回転誘導部材の上方向への移動を所定位置で規制するストッパーと、該ストッパーによる回転誘導部材の移動規制を解除する解除部材と、を具備したワインオープナーにおいて、
前記ストッパーが前記回転誘導部材を両側から水平移動して挟むようにして係止するロック部材であることを特徴とするワインオープナー。
【請求項２】
前記解除部材が前記移動部材の上昇により前記回転誘導部材から前記ストッパーを解除することを特徴とする請求項１に記載のワインオープナー。
【請求項３】
土台上にワインオープナー立設用の立設円筒部と、コルク栓の立設用のコルク円筒部とを所定間隔を空けて設けたことを特徴とするワインオープナー付属具。
【発明の詳細な説明】
【技術分野】
【０００１】
この発明は、ワインやシャンパン等の瓶の口を塞いでいるコルク栓を抜き取るワインオープナー及びその付属具に関する。
【背景技術】
【０００２】
一般にワインやシャンパン等の瓶上方の細く形成された瓶頭部にある瓶口はコルク栓によって密封されており、これによって内容物のワイン等の酸化の防止等が図られている。このようなワインオープナーとして、従来より様々なものがある（例えば、特許文献１参照）。又、近年においては、小さい力でコルク栓を抜き取ることができるラックピニオン機構付きのワインオープナーが考案されワイン愛好者に好適に使用されている。
【０００３】
この従来のラックピニオン機構を備えたワインオープナー１００を図１５乃至図２３に基づいて説明する。図示するように、ワインオープナー１００は、本体２の正面両側で開閉自在となるように且つハの字型に開くように付勢して取付けられた握持固定レバー３と、前記本体２にガイドされながら本体２に設けた操作レバー４の回動により上下動する移動部材５と、前記握持固定レバー３と相向い合う基部３ａの間の上方に位置する前記移動部材５の支持部６で上端を回転自在に支持され、先端が下向きなスクリュー７と、該スクリュー７の内部通過に伴い該スクリュー７に回転を付与し自らも本体２に対して上下動可能な回転誘導部材８と、下端に遊びを持って本体２に固定され且つ上端が下端を支点にして円弧移動自在で且つストッパー爪１０１を有する前記握持固定レバー３の回転軸１０２と、を具備している。
【０００４】
前記握持固定レバー３は、その本体２側の基部３ａの内側面で瓶頭部Ｈを挟持するためのものであって、２つの握持固定レバー３を片手で握って操作できるようになっている。そして、図１５に良く現れているように、常時は、瓶頭部Ｈを挿入できるようにハの字型に開くようにばね３ｂで緩く付勢されており、又、基部３ａの内側面にはゴムなどの滑り防止材３ｃが設けられている。
【０００５】
前記移動部材５は、図１６、図１７に良く現れているように、本体２内の縦方向に形成したガイド穴９に挿入されて上下動するガイド棒１０と、該ガイド棒１０の先端に固定されている前記支持部６と、該支持部６に取付けられて該支持部６と共に本体２に両側をガイドされながら上下動可能なラックギア１１と、該ラックギア１１との噛み合い且つ操作レバー４の回動により回転する本体２に取付けられたピニオンギア１２を有している。
従って、図１６のラックギア１１が下降してガイド棒１０がガイド穴９に全て収納されている状態から、図１７のラックギア１１が上昇してガイド棒１０がガイド穴９から上方へ突出している状態とするには、操作レバー４を矢符ロのように時計回りに回動させる。逆方向に移動させる場合には矢符イのように反時計回りに回動させる。
【０００６】
前記スクリュー７は、瓶頭部Ｈの瓶口Ｍに嵌合されているコルク栓Ｋに上方から回転しながらねじ込まれてから上昇することによってコルク栓Ｋを瓶口Ｍから引き抜くものであって、その上端は前記移動部材５の支持部６に回転自在に支持され、先細の先端は下向きとなっている。このスクリュー７は、前記２つの握持固定レバー３の基部３ａ間の上方に位置している。
【０００７】
前記回転誘導部材８は、前記スクリュー７が上下方向に通過可能な位置で且つ通過時に該スクリュー７を回転させるピン（図示せず）が設けられている回転誘導穴１３と、前記ガイド棒１０に沿って上下動可能なようにガイド棒１０を嵌入できる挿通孔１４を有している。移動の下限は２つの握持固定レバー３によって挟まれた瓶頭部Ｈの瓶口Ｍの上方位置で止まるように図外の係止部が設けられており、移動の上限は移動部材５の支持部６の下端、すなわち、スクリュー７の先細の先端が２つの握持固定レバー３で挟持されている瓶頭部Ｈの瓶口Ｍの真上に位置する図２１の状態までである。
【０００８】
前記２つの握持固定レバー３を本体２に回転自在に固定している回転軸１０２は、図１９に示すように、その下端が本体２に少しの遊びをもって固定され、上端が矢印ハに示すように回転軸１０２の下端を支点とする円弧方向にその弾力性によって復元可能に移動自在で且つ前記回転誘導部材８の上方を押える突出したストッパー爪１０１を有している。このストッパー爪１０１の先端上方には上方から下降してくる回転誘導部材８を通過し易くするためにテーパー面が形成されている。
【０００９】
以上のような構成からなる従来のワインオープナー１００を使用して瓶口Ｍのコルク栓Ｋを引き抜く手順について説明する。
まず、図１５、図１６に示すように、操作レバー４を握持固定レバー３側へ倒してある状態で保管されているワインオープナー１００の当該操作レバー４を、矢符ロ方向すなわち時計方向へ回転させて、図１７、図１８に示すような状態にする。すなわち、この操作レバー４の回動によってピニオンギア１２が回転するのでこれと噛み合うラックギア１１が上方へ移動し、移動部材５、支持部６及びスクリュー７も上方移動するが、回転誘導部材８はストッパー爪１０１によって上方向への移動を規制されているので移動しない。そして、ワインボトル等の瓶頭部Ｈを２つの握持固定レバー３の基部３ａ間で本体２の正面に位置させて、スクリュー７の下端が瓶口Ｍのコルク栓Ｋの上方に位置するようにしてから、片方の手で２つの握持固定レバー３を強く握って瓶頭部Ｈを挟持する。この動作によって、握持固定レバー３は瓶頭部Ｈを支点とするテコの原理が作用して回転軸１０２の上方が図１９の矢符ハ方向へ緩やかな円弧を描いて移動する。回転軸１０２の上方には回転誘導部材８を係止しているストッパー爪１０１があるが、このストッパー爪１０１も同時に矢符ハ方向へ移動するために回転誘導部材８の係止を解除し、回転誘導部材８は上方向移動がフリーとなる。
【００１０】
このようにして片方の手で２つの握持固定レバー３を握って瓶頭部Ｈにワインオープナー１００を固定している状態で、もう片方の手で操作レバー４を、図２０に示すように矢印イ方向の反時計方向へ回転させてピニオンギア１２とラックギア１１の噛み合せ作用によって移動部材５を下降させスクリュー７をコルク栓Ｋの上方から押し入れる。このとき、スクリュー７は回転誘導部材８の回転誘導穴１３内を下方向へ通過するために、内部に設けられるピン（図示せず）に当接しながら下降することによって例えば右回転しつつコルク栓Ｋの内部へ進入してゆく。そして、移動部材５の支持部６が回転誘導部材８と密着する状態まで下降して、スクリュー７の上端までコルク栓Ｋの内部へほぼ進入し終えると、次に、操作レバー４を矢符ロ方向へ回動させて移動部材５を上昇させる。このとき、回転誘導部材８は支持部６とコルク栓Ｋで上下を挟まれており、且つ、ストッパー爪１０１から外れてフリーな状態となっているので、支持部６、スクリュー７、コルク栓Ｋと共にガイド棒１０にガイドされながら上昇する。これにより、図２１に示すように、瓶口Ｍは開栓される。
【００１１】
スクリュー７にねじ込まれているコルク栓Ｋを取り外すには、図２２に示すように、２つの握持固定レバー３の基部３ａ間から瓶頭部Ｈを除去してから、操作レバー４を矢符イ方向へ回動させて、移動部材５を下降させてコルク栓Ｋを２つの握持固定レバー３の間に位置させる。このとき、回転誘導部材８はストッパー爪１０１の先端のテーパー面を滑りながら矢符ハ方向へ押してストッパー爪１０１の下に入って直ぐにストッパー爪１０１の復元力によってその上方が係止される。２つの握持固定レバー３を手で握っても瓶頭部Ｈが存在していないので、テコの原理が働かないために回転軸１０２は移動せず、そのためストッパー爪１０１は回転誘導部材８の上方に係止したままである。この状態から操作レバー４を矢符ロ方向へ回転させると、図２３に示すように、移動部材５と共にスクリュー７も上昇するが、回転誘導部材８はストッパー爪１０１によって上昇を規制されているので、回転誘導穴１３を上方へ通過する際には進入するときとは逆回転、例えば左回転しながら上昇する。又、コルク栓Ｋは回転誘導部材８によって上昇を規制されているので、結局、スクリュー７は逆回転しつつコルク栓Ｋから抜け出ることとなる。
【特許文献１】特開２０００−３２７０８７号公報
【発明の開示】
【発明が解決しようとする課題】
【００１２】
上記した従来技術によると、回転誘導部材８の上方への移動の規制及び解除を握持固定レバー３の回転軸１０２の先端に設られて円弧運動するストッパー爪１０１の係止によって行っている。このため、回転軸１０２に横方向の力の作用がたえず発生して本体２との固定部分が壊れ易く、又、ストッパー爪１０１には回転誘導部材８による上方向への力が強く発生するが、これを阻止するストッパー爪１０１にもこの力が作用するので壊れ易く、その結果、ワインオープナー１００自体の耐久性に欠けるという問題点がある。
【００１３】
この発明は上記事情を鑑みてなされたものであって、ラックピニオン機構を備えたワインオープナーにおいて、耐久性のあるワインオープナーを提供することを目的とするものである。
【課題を解決するための手段】
【００１４】
この発明の手段とするところは、本体の正面両側で開閉自在となるようにハの字型に取り付けられた握持固定レバーと、前記本体にガイドされながら本体に設けた操作レバーの回動により上下動する移動部材と、前記握持固定レバーの相向かい合う基部の間の上方に位置する前記移動部材の支持部で上端を回転自在に支持され、先端が下向きのスクリューと、該スクリューの内部通過に伴い該スクリューに回転を付与し自らも本体に対して上下動可能な回転誘導部材と、該回転誘導部材の上方向への移動を所定位置で規制するストッパーと、該ストッパーによる回転誘導部材の移動規制を解除する解除部材と、を具備したワインオープナーにおいて、前記ストッパーが前記回転誘導部材を両側から水平移動して挟むようにして係止するロック部材であることにある。
また、前記解除部材が前記移動部材の上昇により前記回転誘導部材から前記ストッパーを解除することにある。
更にまた、土台上にワインオープナー立設用の立設円筒部と、コルク栓の立設用のコルク円筒部とを所定間隔を空けて設けたワインオープナー付属具であることにある。
【発明の効果】
【００１５】
第１の発明によると、スクリューからコルク栓を引き抜く際に回転誘導部材の上昇を規制するストッパーを握持固定レバーの回転軸とは連動しない水平移動するロック部材で両側から挟むように係止するようにしたので、回転軸には握持固定レバーの回転に伴う力のみしか作用しないために、当該回転軸の本体への取付け部分及び回転軸の耐久性が向上する。又、回転誘導部材の上方移動を回転軸とは連動しないロック部材で係止したことにより、大きな力が作用しても十分に耐え得ることができる。
【００１６】
更に、第２の発明によると、ストッパーによる回転誘導部材の上方移動規制の解除を、移動部材の上昇により行う構成としたので、使用直前には必ず移動部材を一旦上昇させることから、必要な時の解除が確実に行なわれる利点がある。
【００１７】
又、第３の発明のワインオープナー付属具を使用することによって、ワインオープナーを瓶頭部の瓶口をコルク栓で密封する際にも有効に活用できる。
【発明を実施するための最良の形態】
【００１８】
この発明の実施形態に係るワインオープナーを図１乃至図１４に基づいて説明する。前記従来のワインオープナーと同一構成部材については同符号を付して説明を省略する。
この発明の実施形態に係るワインオープナー１は、本体２の正面両側で開閉自在となるようにハの字型に取付けられた２つの握持固定レバー３と、前記本体２にガイドされながら本体２に設けた操作レバー４の回動により上下動する移動部材５と、前記握持固定レバー３の相向かい合う基部３ａの間の上方に位置する前記移動部材５の支持部６で上端を回転自在に支持され、先端かつ下向きなスクリュー７と該スクリュー７の内部通過に伴いスクリュー７に回転を付与し自らも本体２に対して上下動可能な回転誘導部材８と、該回転誘導部材８を所定位置で上方向への移動を規制するストッパーであるロック部材１５と該ロック部材１５による回転誘導部材８の移動規制を解除する解除部材１６を備えたものである。
これらの構成のうち、握持固定レバー３、操作レバー４、移動部材５、スクリュー７、回転誘導部材８については、従来のワインオープナー１００と同一であるが、ロック部材１５と解除部材１６が異なるので、この点について以下説明する。
【００１９】
前記ロック部材１５は、図４、図５、図６によく表われているように、本体２に形成してある空隙１７によって横方向に移動自在ではあるが縦方向への移動を規制されているものであって、前記回転誘導部材８の上下を挟持する部材である。この部材は断面が略コの字形をなし、上方の上突出片１８は下方の下突出片１９よりも短く形成されると共に下方の突出片１９は先端下面にテーパー面を形成している。これによって、移動部材５の上昇に伴いガイド棒１０も上昇することで、ガイド棒１０の下方近くの側方に突出している解除部材１６が下突出片１９に当接してロック部材１５を解除方向に押しやって上突出片１８の規制を解除し回転誘導部材８の上方向への移動が可能となっている。なお、回転誘導部材８の挿通孔１４には前記解除部材１６が通過可能なように挿通孔１４の相対する対面にスリット（図外）が形成されている。図５、図８、図９においては、このスリットの中心を通って断面が切られているので、幅広な挿通孔１４として表われている。
【００２０】
前記ロック部材１５は、背面側から押棒２０が突出して固定されており、この押棒２０の先端はロック解除時には本体２から突出するようになっている。すなわち、図６の（ａ）の左半分が本体２から押棒２０が突出してロック部材１５が回転誘導部材８を開放した状態で、右半分が本体２に収納して回転誘導部材８の上下を上、下突出片１８、１９で挟持固定しロックしている状態を示している。このような構成であるので、ロック部材１５による回転誘導部材８の解除は前述のように移動部材５の上昇によって行なわれ、ロック部材１５による回転誘導部材８の規制は所定位置で押棒２０を手等で押すことによってなされる。なお、押棒２０を手等で押してロック部材１５が回転誘導部材８を挟持固定した際に、クリック音を発生させる機構や、操作者にクリック感を与える機構を設けてロックが確実になされたことの確認をするようにすればなお好ましい。。
図６において、空隙１７の下方にはキー溝２１が形成されており、該キー溝２１にはロック部材１５の下底に形成されているキー２２が摺動することで、ロック部材１５の水平方向の直進移動を容易ならしめている。又、２３は空隙１７の蓋であり、中心に前記ロック部材１５の押棒２０の先端が出入できるようになっている。さらに又、ガイド穴９にはガイド棒１０の側面から突出している薄板状の解除部材１６の通過用に２つのスリット穴２４が対向するように形成されている。図５、図８、図９においてガイド穴９が大きく表われているのはこのスリット穴２４の中心で断面を切っているからである。なお、本実施形態においては、空隙１７の形状を円形としているが、これに限らず、例えば、矩形であってよい。また、空隙１７を矩形とした場合は、キー溝２１やキー２２は不要である。
【００２１】
以上の構成からなるこの発明の使用について説明する。まず、図１、図２に示すような状態で保管されているワインオープナー１の操作レバー４を図７に示す状態にまで矢符ロ方向の時計回りに回動させる。この操作レバー４の回動によって移動部材５も上昇するので、これに伴ってスクリュー７も上昇する。このときガイド棒１０も同時に上昇するので、ガイド棒１０の下方近くの側方に突出している解除部材１６が図５の状態から上昇し始めて、図８、図９に至る。すると、解除部材１６がロック部材１５の下突出片１９を回転誘導部材８から離反する方向へ押しやるので回転誘導部材８の上方は上突出片１８の規制から解除されて上方へ移動自在な状態となる。このとき、本体２から押棒２０の先端が横方向へ突出した状態となっている。
この状態で、ワインボトル等の瓶頭部Ｈを従来と同じやり方で２つの握持固定レバー３の間に挟んでから片手で２つの握持固定レバー３を握りしめる。そして、もう一方の手で操作レバー４を図１０に示すように矢符イ方向に回動させる。これによって、スクリュー７は回転誘導部材８の回転誘導穴１３内を下方向へ通過するために、回転しつつコルク栓Ｋの上方から内部へ進入してゆく。進入し終えると、次に操作レバー４を矢符ロ方向へ回動させて移動部材５を上昇させる。このとき回転誘導部材８はロック部材１５の規制から解放された状態にあるので、支持部６、スクリュー７、コルク栓Ｋと共にガイド棒１０に案内されながら上昇する。これにより、図１１に示すように、瓶口Ｍが開栓される。
【００２２】
スクリュー７にねじ込まれているコルク栓Ｋを取り外すには、瓶を取り除いてから、図１２に示すように操作レバー４を矢符イ方向へ回動させて移動部材５を下降させてコルク栓Ｋを２つの握持固定レバー３の間に位置させる。そして、片方の手で２つの握持固定レバー３を握った状態で、もう一方の手で本体２より突出しているロック部材１５の押棒２０を指先で押し込んで、回転誘導部材８の上方向への移動を規制する。この状態にしてから、操作レバー４を矢符ロ方向へ回動させると、図１３に示すように、移動部材５と共にスクリュー７も上昇するが、回転誘導部材８はロック部材１５によって上昇を規制されているので、回転誘導穴１３を上方へ通過する際には進入するときとは逆回転しながら上昇するので、回転誘導部材８によって上昇を規制されているコルク栓Ｋの内部で空回りしながらスクリュー７はコルク栓Ｋから抜け出て、コルク栓Ｋが外れることになる。
【００２３】
次に、図１４に示す実施例は、開栓された瓶口Ｍを再びコルク栓Ｋで塞ぐ場合に有用な活用例である。この実施例のワインオープナーの付属品は、土台３０にワインオープナー１用の立設円筒部３１とコルク栓Ｋを浮かして立設するコルク栓用のコルク円筒部３２の２つを所定間隔を開けて設けたものである。コルク円筒部３２の底部には、図示しないが、バネで保持された底板が設置されている。これにより、長さの異なるコルク栓Ｋであってもコルク栓Ｋの先端を所定位置に位置させることができる。また、コルク円筒部３２にテーパーを形成して異なる直径のコルク栓Ｋを保持できるようにしてもよい。
使用するには、まず、立設円筒部３１にそのガイド棒１０の下端を差し込んで立設しているワインオープナー１の操作レバー４を回動させてもう一方のコルク円筒部３２に立設しているコルク栓Ｋの中にスクリュー７をねじ込んでゆく。このようにしてスクリュー７にコルク栓Ｋが固定されている状態で、且つ、ロック部材１５の押棒２０の先端が本体２より突出している状態で、土台３０からワインオープナー１を取り外して操作レバー４を矢符ロ方向すなわち時計方向に回転させてコルク栓Ｋの付いた状態のままで移動部材５と共にスクリュー７とコルク栓Ｋを持ち上げる。そして、栓をすべき瓶の瓶頭部Ｈを２つの握持固定レバー３の基部３ａの間に入れてから、操作レバー４を矢符イ方向に回転させると、コルク栓Ｋが瓶口Ｍに押し込まれて栓がされることになる。
栓をした状態からスクリュー７を抜き取るには、ロック部材１５の押棒２０を押して回転誘導部材８をロック部材１５を介して本体２に固定してから、再び操作レバー４を矢符ロ方向に回動させると上方移動を回転誘導部材８によって規制されているコルク栓Ｋの内部をスクリュー７が逆回転しつつ上方へ抜け出て瓶口Ｍをコルク栓Ｋで密封することができる。従って、途中までしか飲んでいない瓶にたやすく蓋をすることができる利点がある。
【図面の簡単な説明】
【００２４】
【図１】本発明の実施形態に係るワインオープナーを示す概略正面図。
【図２】ワインオープナーを示す概略右側面図。
【図３】図１における本体の右方側の一部及び握持固定レバーを取り外したワインオープナーを示す概略右側面図。
【図４】移動部材と回転誘導部材の関わりを示す斜視図。
【図５】図２におけるＡ−Ａ断面拡大図。
【図６】（ａ）は、ロック部材周辺の拡大図、（ｂ）は、図６（ａ）において、ロック部材を取り外した図、（ｃ）は、空隙の形状を示した図。
【図７】支持部が上方位置にある状態でのワインオープナーを示す図。
【図８】支持部が下方位置から上方に移動する際のガイド棒及び解除部材等を示す断面図。
【図９】支持部が更に上方へ移動した位置でのガイド棒及び解除部材等を示す断面図。
【図１０】瓶頭部の瓶口にあるコルク栓にスクリューが嵌入した状態でのワインオープナーを示す図。
【図１１】瓶頭部の瓶口からコルク栓を抜き取った状態でのワインオープナーを示す図。
【図１２】スクリューにコルク栓が嵌入した状態でのワインオープナーを示す図。
【図１３】スクリューからコルク栓が抜け出た状態でのワインオープナーを示す図。
【図１４】（ａ）は、付属具を示す概略平面図であり、（ｂ）は、付属具の使用状態を示す概略右側面図。
【図１５】従来のワインオープナーを示す概略正面図。
【図１６】図１５における本体の右方側の一部及び握持固定レバーを取り外したワインオープナーを示す概略右側面図。
【図１７】支持部が上方向に移動した状態でのワインオープナーを示す図。
【図１８】支持部が上方向に移動した状態でのワインオープナーを示す概略正面図。
【図１９】握持固定レバーの回転軸とストッパー爪が回転誘導部材に係わる状態を示す説明図。
【図２０】瓶口のコルク栓にスクリューが嵌入した状態でのワインオープナーを示す図。
【図２１】瓶口からコルク栓を抜き取った状態でのワインオープナーを示す図。
【図２２】スクリューにコルク栓が嵌入した状態でのワインオープナーを示す図。
【図２３】スクリューからコルク栓が抜け出た状態でのワインオープナーを示す図。
【符号の説明】
【００２５】
１  本発明のワインオープナー
２  本体
３  把持固定レバー
４  操作レバー
５  移動部材
６  支持部  
７  スクリュー
８  回転誘導部材
１５  ロック部材（ストッパー）
１６  解除部材
３０  土台
３１  立設円筒部
３２  コルク円筒部
【要約】
【課題】ラックピニオン機構を備えたワインオープナーにおいて、耐久性のあるワインオープナーを提供すること。
【解決手段】  本発明のワインオープナー１は、本体２にガイドされながら本体２に設けた操作レバ４ーの回動により上下動する移動部材５と、握持固定レバー３の相向かい合う基部３ａの間の上方に位置する移動部材５の支持部６で上端を回転自在に支持され、先端が下向きのスクリュー７と、スクリュー７の内部通過に伴いスクリュー７に回転を付与し自らも本体２に対して上下動可能な回転誘導部材８と、回転誘導部材８の上方向への移動を所定位置で規制するストッパー１５と、ストッパー１５による回転誘導部材８の移動規制を解除する解除部材１６と、を具備したワインオープナーにおいて、ストッパー１５が回転誘導部材８を両側から水平移動して挟むようにして係止するロック部材であるものである。
【選択図】    図２
【図１】
0003702431.tif 000002
【図２】
0003702431.tif 000003
【図３】
0003702431.tif 000004
【図４】
0003702431.tif 000005
【図５】
0003702431.tif 000006
【図６】
0003702431.tif 000007
【図７】
0003702431.tif 000008
【図８】
0003702431.tif 000009
【図９】
0003702431.tif 000010
【図１０】
0003702431.tif 000011
【図１１】
0003702431.tif 000012
【図１２】
0003702431.tif 000013
【図１３】
0003702431.tif 000014
【図１４】
0003702431.tif 000015
【図１５】
0003702431.tif 000016
【図１６】
0003702431.tif 000017
【図１７】
0003702431.tif 000018
【図１８】
0003702431.tif 000019
【図１９】
0003702431.tif 000020
【図２０】
0003702431.tif 000021
【図２１】
0003702431.tif 000022
【図２２】
0003702431.tif 000023
【図２３】
0003702431.tif 000024